(57)【要約】【課題】相手側のハウジングとの良好なシール性を維持させることが可能なハウジングを提供すること。【解決手段】ハウジング本体５１と、ハウジング本体５１の嵌合突部５３に装着され、オスハウジング１３のフード部２１との間をシールするシール部材９８と、ハウジング本体５１の外周面からオスハウジング１３との嵌合側へ延在し、オスハウジング１３に形成された係止突起２３に係脱される係止部７９を有する片持ち梁状の弾性アーム部７１を備えたロックアーム５５と、を有するメスハウジング１５であって、ハウジング本体５１の外面には、弾性アーム部７１の根元に一体的に設けられた保護壁８７が形成され、保護壁８７は、ハウジング本体５１の嵌合突部５３がフード部２１に嵌合された際に、ハウジング本体５１におけるフード部２１との隙間Ｇを臨む位置に、ハウジング本体５１の幅方向にわたって設けられている。【選択図】図８
2020202107.tif 000002
【特許請求の範囲】
【請求項１】
相手側ハウジングの筒状のフード部に嵌合される嵌合突部を有するハウジング本体と、
前記ハウジング本体の前記嵌合突部に装着され、嵌合された前記相手側ハウジングの前記フード部との間をシールするシール部材と、
前記ハウジング本体の外周面から前記相手側ハウジングとの嵌合側へ延在し、前記相手側ハウジングに形成された係止突起に係脱される係止部を有する片持ち梁状の弾性アーム部を備えたロックアームと、
を有するハウジングであって、
前記ハウジング本体の外面には、前記弾性アーム部の根元に一体的に設けられた保護壁が形成され、
前記保護壁は、前記ハウジング本体の前記嵌合突部が前記フード部に嵌合された際に、前記ハウジング本体における前記フード部との隙間を臨む位置に、前記ハウジング本体の幅方向にわたって設けられている、
ことを特徴とするハウジング。
【請求項２】
前記弾性アーム部は、前記ハウジング本体に連設された支柱部と、前記支柱部から前記相手側ハウジングとの嵌合側へ屈曲した屈曲部と、前記屈曲部から前記相手側ハウジングとの嵌合側へ延びる延在部と、を有し、
前記保護壁は、前記弾性アーム部の前記支柱部における前記屈曲部に達しない範囲に形成されている、
ことを特徴とする請求項１に記載のハウジング。
【請求項３】
前記ハウジング本体の前記嵌合突部が前記相手側ハウジングの前記フード部に嵌合されることにより、前記保護壁に前記相手側ハウジングの前記フード部の先端が当接される、
ことを特徴とする請求項１または請求項２に記載のハウジング。
【発明の詳細な説明】
【技術分野】
【０００１】
本発明は、ハウジングに関する。
【背景技術】
【０００２】
ハウジング同士が互いに嵌合されて接続されるコネクタとして、ハウジング同士の嵌合箇所をシールし、端子同士の接続箇所への水の浸入を防止するパッキン等からなる環状のシール部材を備えるものがある（例えば、特許文献１，２参照）。
【先行技術文献】
【特許文献】
【０００３】
【特許文献１】特開２０１６−１０５３５３号公報
【特許文献２】特開２０１６−１１５４１１号公報
【発明の概要】
【発明が解決しようとする課題】
【０００４】
ところで、高圧洗浄機等によって車両を洗浄する際に、高圧洗浄機から高圧で噴射された水が車両に搭載されたコネクタのハウジング同士の隙間へ吹き付けられることがある。すると、吹き付けられた水の水圧によって内部のシール部材が劣化し、シール性が低下するおそれがある。
【０００５】
本発明は、上述した事情に鑑みてなされたものであり、その目的は、相手側のハウジングとの良好なシール性を維持させることが可能なハウジングを提供することにある。
【課題を解決するための手段】
【０００６】
前述した目的を達成するために、本発明に係るハウジングは、下記（１）〜（３）を特徴としている。
（１）  相手側ハウジングの筒状のフード部に嵌合される嵌合突部を有するハウジング本体と、
前記ハウジング本体の前記嵌合突部に装着され、嵌合された前記相手側ハウジングの前記フード部との間をシールするシール部材と、
前記ハウジング本体の外周面から前記相手側ハウジングとの嵌合側へ延在し、前記相手側ハウジングに形成された係止突起に係脱される係止部を有する片持ち梁状の弾性アーム部を備えたロックアームと、
を有するハウジングであって、
前記ハウジング本体の外面には、前記弾性アーム部の根元に一体的に設けられた保護壁が形成され、
前記保護壁は、前記ハウジング本体の前記嵌合突部が前記フード部に嵌合された際に、前記ハウジング本体における前記フード部との隙間を臨む位置に、前記ハウジング本体の幅方向にわたって設けられている、
ことを特徴とするハウジング。
【０００７】
（２）  前記弾性アーム部は、前記ハウジング本体に連設された支柱部と、前記支柱部から前記相手側ハウジングとの嵌合側へ屈曲した屈曲部と、前記屈曲部から前記相手側ハウジングとの嵌合側へ延びる延在部と、を有し、
前記保護壁は、前記弾性アーム部の前記支柱部における前記屈曲部に達しない範囲に形成されている、
ことを特徴とする（１）に記載のハウジング。
【０００８】
（３）  前記ハウジング本体の前記嵌合突部が前記相手側ハウジングの前記フード部に嵌合されることにより、前記保護壁に前記相手側ハウジングの前記フード部の先端が当接される、
ことを特徴とする（１）または（２）に記載のハウジング。
【０００９】
上記（１）の構成のハウジングによれば、ハウジング本体における相手側ハウジングのフード部との隙間を臨む位置に保護壁が配置される。これにより、例えば、高圧洗浄機からの高圧水がハウジングの後方側から吹き付けられても、この高圧水は、保護壁に当たり隙間へ直接吹き込むことがない。例えば、高圧水がハウジングの斜め後方から吹き付けられたとしても高圧水は保護壁によって隙間への吹き込みが抑制される。したがって、シール部材に対して直接吹き付けられる高圧水の水圧によるシール部材の劣化を抑えることができ、相手側ハウジングとの嵌合箇所におけるシール部材による良好なシール性を維持させることができる。また、シール部材へ水が直接吹き付けられることがないので、シール部材を簡略化してコストを抑えても十分なシール性を確保することができる。
【００１０】
上記（２）の構成のハウジングによれば、ハウジング本体に連設された支柱部と、支柱部から相手側ハウジングとの嵌合側へ屈曲した屈曲部と、屈曲部から相手側ハウジングとの嵌合側へ延びる延在部と、を有する弾性アーム部は、主に屈曲部において弾性変形して揺動する。これにより、相手側ハウジングの係止突起に対してロックアームの係止部が係脱される。そして、嵌合箇所をシールするシール部材への高圧水の吹き付けを抑制する保護壁は、弾性アーム部の支柱部における屈曲部に達しない範囲に形成されている。したがって、ロックアームによる相手側ハウジングの係止突起に対する係止部の係脱の機能への影響を極力抑えつつシール性を高めることができる。
【００１１】
上記（３）の構成のハウジングによれば、ハウジング本体の嵌合突部が相手側ハウジングに嵌合されることにより、保護壁に相手側ハウジングのフード部の先端が当接される。したがって、ハウジング本体におけるフード部との隙間への水の吹き込みをさらに抑えてシール性をさらに高めることができる。
【発明の効果】
【００１２】
本発明によれば、相手側のハウジングとの良好なシール性を維持させることが可能なハウジングを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、コネクタの分解斜視図である。
【図２】図２は、オスハウジングとメスハウジングとの嵌合方向に沿うコネクタの断面図である。
【図３】図３は、オスハウジングの斜視図である。
【図４】図４は、オスハウジングを示す図であって、図４（ａ）は正面図、図４（ｂ）は側面図である。
【図５】図５は、本実施形態に係るメスハウジングの斜視図である。
【図６】図６は、本実施形態に係るメスハウジングを示す図であって、図６（ａ）は正面図、図６（ｂ）は側面図である。
【図７】図７は、図６（ａ）におけるＡ−Ａで断面視した一部の断面図である。
【図８】図８は、図２におけるＡ部の拡大図である。
【図９】図９は、参考例を示す図２のＡ部に対応する拡大図である。
【図１０】図１０は、変形例を示す図２のＡ部に対応する拡大図である。
【発明を実施するための形態】
【００１５】
本発明に関する具体的な実施形態について、各図を参照しながら以下に説明する。
【００１６】
（コネクタ）
図１は、コネクタの分解斜視図である。図２は、オスハウジングとメスハウジングとの嵌合方向に沿うコネクタの断面図である。
【００１７】
図１及び図２に示すように、本実施形態に係るメスハウジング（ハウジング）１５は、オスハウジング（相手側ハウジング）１３に嵌合されるもので、オスハウジング１３とともに、コネクタ１１を構成する。このコネクタ１１は、メスハウジング１５の後方側からスライドされて装着される筒状のＣＰＡ（嵌合保証部材）１７を備えている。これらのオスハウジング１３、メスハウジング１５及びＣＰＡ１７は、それぞれ合成樹脂から成形されている。
【００１８】
（オスハウジング）
図３は、オスハウジングの斜視図である。図４は、オスハウジングを示す図であって、図４（ａ）は正面図、図４（ｂ）は側面図である。
【００１９】
図３及び図４（ａ）（ｂ）に示すように、本実施形態に係るオスハウジング１３は、メスハウジング１５との嵌合側である先端側にフード部２１を有している。このフード部２１には、その上下に、係止突起２３が形成されている。
【００２０】
オスハウジング１３は、メスハウジング１５との嵌合側と反対側である後方側に、二つの端子収容室３０を有している。図１に示すように、端子収容室３０には、電線３１の端部に接続されたオス端子３３が収容されており、電線３１は、オスハウジング１３の後端から引き出される。端子収容室３０には、電線３１に装着されたゴム栓３４がオスハウジング１３の後端側から嵌め込まれる。これにより、オス端子３３を収容するオスハウジング１３の端子収容室３０が止水される。
【００２１】
オス端子３３は、例えば、銅または銅合金等の導電性金属材料により形成されており、電線３１が圧着されて接続されている。このオス端子３３は、ピン状に形成されたタブ３５を有しており、タブ３５は、フード部２１内に配置される。
【００２２】
オスハウジング１３には、前端側からフロントホルダ４１及びショート端子４３が組付けられる。フロントホルダ４１は、合成樹脂により形成されており、このフロントホルダ４１をオスハウジング１３に組付けることで、端子収容室３０に挿し込まれて収容されたオス端子３３が端子収容室３０に収容された状態に保持される。ショート端子４３は、例えば、銅または銅合金等の導電性金属材料により形成されている。ショート端子４３は、オスハウジング１３に組付けられることで、オスハウジング１３にメスハウジング１５が嵌合されていない非嵌合状態において、オス端子３３のタブ３５に接触される。これにより、オス端子３３同士がショート端子４３で導通され、例えば、インターロック回路が形成される。
【００２３】
（メスハウジング）
図５は、本実施形態に係るメスハウジングの斜視図である。図６は、本実施形態に係るメスハウジングを示す図であって、図６（ａ）は正面図、図６（ｂ）は側面図である。図７は、図６（ａ）におけるＡ−Ａで断面視した一部の断面図である。
【００２４】
図５及び図６（ａ）（ｂ）に示すように、本実施形態に係るメスハウジング１５は、ハウジング本体５１と、嵌合突部５３と、ロック機構５４とを有している。嵌合突部５３は、ハウジング本体５１からオスハウジング１３との嵌合方向の前方側へ突出し、オスハウジング１３のフード部２１に嵌合される。嵌合突部５３は、ハウジング本体５１側から順にシール装着部６１及び端子保持部６３となっている。端子保持部６３は、シール装着部６１から前方に突出されている。メスハウジング１５は、ハウジング本体５１における嵌合突部５３側の縁部が、シール装着部６１よりも大きい外形の嵌合縁部６５となっている。
【００２５】
ロック機構５４は、メスハウジング１５におけるハウジング本体５１の上部に設けられている。ロック機構５４は、ロックアーム５５と、解除アーム８１とを有している。ロックアーム５５は、一対の弾性アーム部７１を有している。弾性アーム部７１は、ハウジング本体５１の上面に形成された支柱部７３と、支柱部７３から前方側へ屈曲した屈曲部７５と、屈曲部７５から前方へ延びる延在部７７とを有している。弾性アーム部７１は、その延在部７７の先端同士が連結されており、この連結部分が係止部７９となっている。ロックアーム５５は、弾性アーム部７１が弾性変形することで揺動する。
【００２６】
解除アーム８１は、弾性アーム部７１の先端に連設されて後方へ延びる一対の支持アーム部８３と、これらの支持アーム部８３の後端を連結する操作部８５とを有している。支持アーム部８３は、弾性アーム部７１の支柱部７３よりもメスハウジング１５の後方側へ延在している。これにより、操作部８５は、弾性アーム部７１の支柱部７３よりもメスハウジング１５の後方側に配置されている。
【００２７】
ロック機構５４は、オスハウジング１３とメスハウジング１５とが嵌合した際に、ロックアーム５５の係止部７９がオスハウジング１３のフード部２１における上側の係止突起２３を係止する。これにより、オスハウジング１３とメスハウジング１５とを、互いに嵌合した状態にロックする。
【００２８】
図７に示すように、メスハウジング１５には、ロックアーム５５の根元に、保護壁８７が形成されている。この保護壁８７は、ハウジング本体５１におけるオスハウジング１３との嵌合側の縁部に形成されており、ハウジング本体５１の幅方向に沿って形成されている。この保護壁８７は、ロックアーム５５の支柱部７３に一体に形成されている。
【００２９】
保護壁８７は、ロックアーム５５を構成する弾性アーム部７１の根元の支柱部７３に連設されてオリ、弾性アーム部７１における屈曲部７５に掛からない範囲で設けられている。具体的には、保護壁８７は、屈曲部７５におけるオスハウジング１３との嵌合側に形成された円弧部７５ａに掛からない範囲で形成されている。
【００３０】
メスハウジング１５には、二つの端子収容室９１が形成されている。図１に示すように、端子収容室９１には、電線９３の端部に接続されたメス端子９５が収容され、電線９３は、メスハウジング１５の後端から引き出される。端子収容室９１には、電線９３に装着されたゴム栓９６がメスハウジング１５の後端側から嵌め込まれる。これにより、メス端子９５が収容されるメスハウジング１５の端子収容室９１が止水される。
【００３１】
また、メスハウジング１５には、前方側からシール部材９８及びリテーナ９９が装着される。シール部材９８は、ゴム等の弾性材料によって環状に形成されている。シール部材９８は、嵌合突部５３のシール装着部６１に装着される。リテーナ９９は、合成樹脂により形成されており、嵌合突部５３の端子保持部６３に装着される。このリテーナ９９が端子保持部６３に装着されることで、端子収容室９１に挿し込まれて収容されたメス端子９５が端子収容室９１に収容された状態に保持される。
【００３２】
（ＣＰＡ）
図１及び図２に示すように、ＣＰＡ１７は、角筒状に形成された本体部１０１を有しており、メスハウジング１５に対して後方から被せられて嵌合方向にスライド可能に装着される。ＣＰＡ１７は、本体部１０１の上下に係合アーム１０３を有している。これらの係合アーム１０３は、本体部１０１に片持ち梁状に支持されており、先端部には、内側へ突出する係合爪１０５が形成されている。ＣＰＡ１７は、メスハウジング１５に装着されると、上側の係合アーム１０３の係合爪１０５がロックアーム５５の係止部７９の後部に当接する。
【００３３】
（嵌合手順）
次に、オスハウジング１３とメスハウジング１５との嵌合について説明する。
オスハウジング１３と、ＣＰＡ１７が装着されたメスハウジング１５とを嵌合させると、ＣＰＡ１７の上側の係合アーム１０３によって係止部７９が嵌合方向の前方に押圧される。
【００３４】
そして、ロックアーム５５の係止部７９がオスハウジング１３のフード部２１の上側の係止突起２３を乗り越えて係止すると、オスハウジング１３とメスハウジング１５とが嵌合された状態にロックされる。また、嵌合方向の前方側へ押し込まれたＣＰＡ１７の上側の係合アーム１０３の係合爪１０５が、フード部２１の上側の係止突起２３を係止しているロックアーム５５の係止部７９に係合し、下側の係合アーム１０３の係合爪１０５がフード部２１の下側の係止突起２３を係止する。これにより、ＣＰＡ１７が上下の係合アーム１０３によってオスハウジング１３にロックされるとともに、ロックアーム５５の係止部７９による係止突起２３の係止状態がＣＰＡ１７の上側の係合アーム１０３によって維持されて嵌合保証状態が確保される。
【００３５】
そして、オスハウジング１３とメスハウジング１５とが嵌合されると、オスハウジング１３のフード部２１に、リテーナ９９が装着されたメスハウジング１５の嵌合突部５３が挿入される。これにより、リテーナ９９によってショート端子４３が押し下げられてオス端子３３のタブ３５から離間し、オス端子３３の短絡状態が解除されるとともに、オス端子３３のタブ３５がメス端子９５に挿し込まれて互いに電気的に接続される。
【００３６】
（シール構造）
次に、オスハウジング１３とメスハウジング１５との嵌合状態におけるシール構造について説明する。
図８は、図２におけるＡ部の拡大図である。
【００３７】
オスハウジング１３とメスハウジング１５とが嵌合されると、オスハウジング１３のフード部２１の内周面にメスハウジング１５のシール装着部６１に装着されたシール部材９８が密着する。これにより、オスハウジング１３とメスハウジング１５との嵌合箇所がシールされる。
【００３８】
また、オスハウジング１３とメスハウジング１５とが嵌合されると、オスハウジング１３のフード部２１の端部における内周面とメスハウジング１５の嵌合縁部６５の外周面との隙間Ｇを臨む位置に保護壁８７が配置される。
【００３９】
ここで、参考例について説明する。
図９は、参考例における図２のＡ部に対応する拡大図である。
【００４０】
図９に示すように、参考例では、ハウジング本体５１に保護壁８７がなく、オスハウジング１３とメスハウジング１５とを互いに嵌合した状態で、フード部２１とメスハウジング１５の嵌合縁部６５との隙間Ｇがメスハウジング１５の後方側に開放された状態となる。
【００４１】
この嵌合状態において、例えば、高圧洗浄機等によって車両を洗浄する際に、参考例では、高圧洗浄機から噴射された高圧水がメスハウジング１５の後方側からフード部２１とメスハウジング１５の嵌合縁部６５との隙間Ｇへ向かって（図９中矢印Ｗ方向へ向かって）吹き込むおそれがある。そして、隙間Ｇへ吹き込んだ高圧水が隙間Ｇを通って内部のシール部材９８へ直接吹き付けられると、シール部材９８が水圧によって劣化し、オスハウジング１３とメスハウジング１５との嵌合箇所におけるシール性が低下するおそれがある。
【００４２】
これに対して、本実施形態によれば、ハウジング本体５１におけるオスハウジング１３のフード部２１との隙間Ｇを臨む位置に保護壁８７が配置される。これにより、例えば、高圧洗浄機からの高圧水がメスハウジング１５の後方側から前方側へ向かって（図８中矢印Ｗ方向へ向かって）吹き付けられても、この高圧水は、保護壁８７に当たり隙間Ｇへ直接吹き込むことがない。例えば、高圧水がメスハウジング１５の斜め後方から吹き付けられたとしても高圧水は保護壁８７によって隙間Ｇへの吹き込みが抑制される。したがって、シール部材９８に対して直接吹き付けられる高圧水の水圧によるシール部材９８の劣化を抑えることができ、オスハウジング１３との嵌合箇所におけるシール部材９８による良好なシール性を維持させることができる。また、シール部材９８へ水が直接吹き付けられることがないので、シール部材９８を簡略化してコストを抑えても十分なシール性を確保することができる。
【００４３】
ここで、ハウジング本体５１に連設された支柱部７３と、支柱部７３からオスハウジング１３との嵌合側へ屈曲した屈曲部７５と、屈曲部７５からオスハウジング１３との嵌合側へ延びる延在部７７と、を有する弾性アーム部７１は、主に屈曲部７５において弾性変形して揺動する。これにより、オスハウジング１３の係止突起２３に対してロックアーム５５の係止部７９が係脱される。
【００４４】
本実施形態によれば、嵌合箇所をシールするシール部材９８への高圧水の吹き付けを抑制する保護壁８７が、弾性アーム部７１の支柱部７３における屈曲部７５に達しない範囲に形成されている。したがって、ロックアーム５５によるオスハウジング１３の係止突起２３に対する係止部７９の係脱の機能への影響を極力抑えつつシール性を高めることができる。
【００４５】
次に、変形例について説明する。
なお、上記実施形態と同一構成部分は、同一符号を付して説明を省略する。
図１０は、変形例を示す図２のＡ部に対応する拡大図である。
【００４６】
図１０に示すように、変形例では、保護壁８７がオスハウジング１３との嵌合方向の前方へ張り出すように形成されている。
【００４７】
そして、この変形例では、オスハウジング１３との嵌合状態において、オスハウジング１３のフード部２１の先端が保護壁８７に隙間なく当接される。
【００４８】
この変形例によれば、オスハウジング１３のフード部２１の先端と保護壁８７とが隙間なく当接されるので、オスハウジング１３とメスハウジング１５との嵌合箇所への水の吹き込みをさらに抑えて、シール性を高めることができる。
【００４９】
なお、変形例では、オスハウジング１３のフード部２１の先端が当接されるように、保護壁８７をオスハウジング１３との嵌合方向の前方側に張り出させたが、オスハウジング１３のフード部２１の先端が当接するように、保護壁８７の形成位置をオスハウジング１３との嵌合方向の前方側に配置させてもよい。
【００５０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５１】
ここで、上述した本発明の実施形態に係るハウジングの特徴をそれぞれ以下［１］〜［３］に簡潔に纏めて列記する。
［１］  相手側ハウジング（オスハウジング１３）の筒状のフード部（２１）に嵌合される嵌合突部（５３）を有するハウジング本体（５１）と、
前記ハウジング本体（５１）の前記嵌合突部（５３）に装着され、嵌合された前記相手側ハウジング（オスハウジング１３）の前記フード部（２１）との間をシールするシール部材（９８）と、
前記ハウジング本体（５１）の外周面から前記相手側ハウジング（オスハウジング１３）との嵌合側へ延在し、前記相手側ハウジング（オスハウジング１３）に形成された係止突起（２３）に係脱される係止部（７９）を有する片持ち梁状の弾性アーム部（７１）を備えたロックアーム（５５）と、
を有するハウジング（メスハウジング１５）であって、
前記ハウジング本体（５１）の外面には、前記弾性アーム部（７１）の根元に一体的に設けられた保護壁（８７）が形成され、
前記保護壁（８７）は、前記ハウジング本体（５１）の前記嵌合突部（５３）が前記フード部（２１）に嵌合された際に、前記ハウジング本体（５１）における前記フード部（２１）との隙間（Ｇ）を臨む位置に、前記ハウジング本体（５１）の幅方向にわたって設けられている、
ことを特徴とするハウジング。
【００５２】
［２］  前記弾性アーム部（７１）は、前記ハウジング本体（５１）に連設された支柱部（７３）と、前記支柱部（７３）から前記相手側ハウジング（オスハウジング１３）との嵌合側へ屈曲した屈曲部（７５）と、前記屈曲部（７５）から前記相手側ハウジング（オスハウジング１３）との嵌合側へ延びる延在部（７７）と、を有し、
前記保護壁（８７）は、前記弾性アーム部（７１）の前記支柱部（７３）における前記屈曲部（７５）に達しない範囲に形成されている、
ことを特徴とする［１］に記載のハウジング。
【００５３】
［３］  前記ハウジング本体（５１）の前記嵌合突部（５３）が前記相手側ハウジング（オスハウジング１３）の前記フード部（２１）に嵌合されることにより、前記保護壁（８７）に前記相手側ハウジング（オスハウジング１３）の前記フード部（２１）の先端が当接される、
ことを特徴とする［１］または［２］に記載のハウジング。
【符号の説明】
【００５４】
１３  オスハウジング（相手側ハウジング）
１５  メスハウジング（ハウジング）
２１  フード部
２３  係止突起
５１  ハウジング本体
５３  嵌合突部
５５  ロックアーム
７１  弾性アーム部
７３  支柱部
７５  屈曲部
７７  延在部
７９  係止部
８７  保護壁
９８  シール部材
【図１】
2020202107.tif 000003
【図２】
2020202107.tif 000004
【図３】
2020202107.tif 000005
【図４】
2020202107.tif 000006
【図５】
2020202107.tif 000007
【図６】
2020202107.tif 000008
【図７】
2020202107.tif 000009
【図８】
2020202107.tif 000010
【図９】
2020202107.tif 000011
【図１０】
2020202107.tif 000012